(57)【要約】【課題】携帯端末の電源を切らずに携帯電波を遮蔽するＢＯＸなどに入れて保管した場合においも、携帯端末を機内モードに設定しない状態では携帯端末が基地局の探索を繰り返す結果、長時間の保管では電池消耗により過放電に陥る危険があるため、携帯端末保管構造は３００ＭＨｚ〜５ＧＨｚの範囲の電波を遮蔽性能−６０ｄＢ以上で遮蔽するとともに、保管中においても充電を行えることが必要で有り、さらに携帯端末が内装するリチュウムイオン電池は稀に発火の恐れもあるため周囲への延焼を避ける必要が有る。【解決手段】携帯電波を遮蔽する導電性軟質素材で形成する携帯端末の保管袋の外から貫通コンデンサや、保管袋の導電を介して充電電流を携帯端末に供給することにより、保管袋における携帯電波の遮蔽性能を劣化させること無く、かつ携帯端末に内装する電池の充電を可能にすると同時に、携帯端末が内装するリチュウムイオン電池の発火による延焼を避けるために保管袋、携帯端末を不燃ＢＯＸに収納する。【選択図】図１
2020141392.tif 000002
【特許請求の範囲】
【請求項１】
携帯電波を遮蔽する導電性軟質素材で形成する携帯端末の保管袋に関して、保管袋の外から貫通コンデンサを介して充電電流を携帯端末に供給することにより、保管袋における携帯電波の遮蔽性能を劣化させること無く携帯端末を充電することが可能な携帯端末充電保管構造。
【請求項２】
携帯電波を遮蔽する導電性軟質素材で形成する携帯端末の保管袋に関して、保管袋の外から貫通コンデンサならびに保管袋の導電を介して充電電流を携帯端末に供給することにより、保管袋における携帯電波の遮蔽性能を劣化させること無く携帯端末を充電することが可能な携帯端末充電保管構造。
【請求項３】
携帯端末が内装する電池に対して、電池容量の１００％未満で充電を終了する機能を備えた充電処理回路を不燃ＢＯＸ内に備える、請求項１，２に記載する携帯端末充電保管構造。
【請求項４】
携帯端末が内装する電池に対して、所定時間毎に充電を繰り返す機能を備えた充電処理回路を不燃ＢＯＸ内に備える、請求項１，２に記載する携帯端末充電保管構造。
【請求項５】
保管袋を熱伝導率の高い緩衝材を備える不燃ＢＯＸ内に収納する、請求項１，２に記載する携帯端末充電保管構造。
【発明の詳細な説明】
【技術分野】
【０００１】携帯端末を保管するための保管構造として、保管袋内の携帯端末への電波を確実に遮蔽するとともに、電波遮蔽性能を維持した状態で保管中の携帯端末への充電を可能とし、携帯端末が内装するリチュウムイオン電池の発火による周囲への延焼を避ける携帯端末充電保管構造。
【背景技術】
【０００２】スマートホン、タブレットなどの携帯端末は電源を切らずに一般的な箱などに保管すると、端末は常時着信可能なため、着信したり、基地局の探索により電池が消耗したり、悪意の有る発信者によってウイルスに感染させられたり、さらには運送業者の配送中に着信音が鳴るなど種々の課題が有るため、携帯電波を遮蔽するため金属缶などに入れて保管することも行われるが、電源を切らずに金属缶などに保管しても、携帯端末を機内モードに設定しない状態では携帯端末が基地局の探索を繰り返す結果、長時間の保管では電池消耗により過放電に陥る危険もあるため、携帯端末を保管する携帯端末保管構造は、携帯電波を遮蔽するとともに、保管中においても充電が可能であることが求められるとともに、携帯端末が内装するリチュウムイオン電池の発火による周囲への延焼を避ける必要が有る。
【先行技術文献】
【特許文献】
【０００３】
【特許文献１】特開２００５−００２５３２
【特許文献２】特開２０１０−００８１１４
【発明の開示】
【発明が解決しようとする課題】
【０００４】携帯端末の電源を切らずに携帯電波を遮蔽するＢＯＸなどに入れて保管した場合においも、携帯端末を機内モードに設定しない状態では携帯端末が基地局の探索を繰り返す結果、長時間の保管では電池消耗により過放電に陥る危険があるため、携帯端末保管構造は３００ＭＨｚ〜５ＧＨｚの範囲の電波を遮蔽性能−６０ｄＢ以上で遮蔽するとともに、保管中においても充電を行えることが必要で有り、さらに携帯端末が内装するリチュウムイオン電池は稀に発火の恐れもあるため周囲への延焼を避ける必要が有る。
【課題を解決するための手段】
【０００５】携帯電波を遮蔽する導電性軟質素材で形成する携帯端末の保管袋の外から貫通コンデンサや、保管袋の導電を介して充電電流を携帯端末に供給することにより、保管袋における携帯電波の遮蔽性能を劣化させること無く、かつ携帯端末に内装する電池の充電を可能にすると同時に、携帯端末が内装するリチュウムイオン電池の発火による延焼を避けるために保管袋、携帯端末を不燃ＢＯＸに収納する。
【発明の効果】
【０００６】電源を切らずに携帯端末を保管袋に入れて保管した場合においも、保管袋が３００ＭＨｚ〜５ＧＨｚの範囲の電波を遮蔽性能−６０ｄＢ以上で遮断することにより、袋の中の携帯端末は常に圏外となり受信はできないが、携帯端末を機内モードに設定しない状態では携帯端末が基地局の探索を繰り返す結果、長時間の保管では電池消耗により過放電に陥る危険があるため、保管中においても携帯端末に内装する電池を必要に応じて保管袋の外から充電が可能であり過放電を防ぐとともに、保管袋、携帯端末を不燃ＢＯＸに収納することによりリチュウムイオン電池の発火による周囲への延焼が防がれる。
【発明を実施するための最良の形態】
【０００７】図１は本考案に基づく充電保管構造の構成概念図を示し、保管袋は周波数７００ＭＨｚ〜５ＭＨｚの範囲で−６０ｄＢ以上の電波遮蔽性能を備える導電性軟質素材を複数枚重ねて、携帯端末の挿抜口を含めて全辺を折り返して圧接することにより、保管袋の中は携帯電話周波数７００ＭＨｚ〜５ＭＨｚの範囲でシールド性能は−６０ｄＢ超が確保され、保管袋の中に入れた携帯端末は常に圏外となる。ただし、このシールド性能は保管袋に充電ケーブルなどが出入りすると、充電ケーブルを通して電波漏洩が生じてシールド効果が大きく損なわれる。このため、ＡＣアダプターや電池などによる充電器８から供給される充電電流は充電ケーブル４を通して、残留インダクタンスがごく僅かで、自己共振周波数がマイクロ波まで延びている貫通コンデンサ２、３を介して不要な高周波成分を除去して保管袋の中に取り込まれる。保管袋の中に取り込まれた充電電流は、保管袋の中で貫通コンデンサ２、３から充電ケーブル６に接続されて携帯端末９に給電される。貫通コンデンサとしては、携帯電話周波数７００ＭＨｚ〜５ＭＨｚの範囲でシールド性能が−６０ｄＢを超える遮蔽性能の物を使用する。【０００８】図２は図１における貫通コンデンサ２を使用せずに保管袋の導電を利用する。保管袋は布材に銅、ニッケルなどの軟磁性金属メッキを施しているため電波吸収体としての電波遮蔽能力を備えているとともに、携帯端末を充電するに十分な通電が可能である。図３、図４は貫通コンデンサ、保管袋の導電など保管袋の外から中に充電電流を給電する接続部の概念図であり、軟質な導電性素材の補強、貫通コンデンサのシールドパス、ならびに保管袋の導電パスを確保するために金属の導電プレート１１，１２で保管袋の表、裏を挟んで圧接している。図５は貫通コンデンサのシールドパスと保管袋の導電パスを＋極と−極で詳細を示す構成である。【０００９】携帯端末に使用するリチュウムイオン電池はトラブルで焼損することもあり得るため、携帯端末を装着する保管袋は図６に示す不燃ＢＯＸに配置することが必須であり、ＢＯＸ１３にはスポンジなどの緩衝材１４を組込んで携帯端末のＢＯＸ内での移動を防ぐ。携帯端末は発熱しやすいが、保管袋自体は銅などで金属メッキされているため放熱性は良いため、緩衝材１４に熱伝導率の高い素材を使用して携帯端末の発熱を不燃ＢＯＸの筐体に逃がすことが望ましい。さらに、携帯端末に使用するリチュウムイオン電池は電池容量値の１００％超の充電を繰り返すと電池寿命が短くなると共に、長期間充電を行わないと電池が過放電となり回復不能に陥る危険も有るため、図７に、不燃ＢＯＸ内に構成して電池寿命リスクを避ける充電処理構成を示す。ＡＣアダプターや電池などの電源１５から供給される充電電流は電流値検出センサ１７で計測し、充電電流は接断回路１９で接断され、制御回路１８で、充電状態監視、ならびに充電間隔制御を行うことにより、充電は１００％未満で停止され、所定時間毎に自動的に充電を行う機能を備える。なお充電停止、ならびに充電間隔は任意に設定可能とする。
【実施例】
【００１０】実施例は図２、図５に記載する貫通コンデンサと保管袋の導電で構成した。携帯電波を遮蔽する保管袋の導電性軟質素材はポリエステル布＋軟磁性金属メッキの電波吸収体、７００ＭＨｚ〜３．５ＧＨｚにおけるシールド性能−６０ｄＢ超，０．３ｍｍ厚さの布を３枚重ねて、全辺を折り返して圧接構成した。貫通コンデンサはＣ、Ｌの２素子構成、ネジ式で７００ＭＨｚ〜３．５ＧＨｚでのシールド性能は−７０ｄＢ以上、充電ケーブルコネクタはＵＳＢｍｉｎｉＢとした。導電プレートは銅板にスズメツキを施し、保管袋の導電性軟質素材のメッキ素材との接触腐食を避けた。充電ケーブルは充電電流の＋極線を貫通コンデンサ、−極線を保管袋の導電を介して保管袋内の携帯端末への給電を行う構成とした。【００１１】保管袋は１６０×２４０ｍｍの矩形とし、底部に貫通コンデンサと保管袋の導電を形成し、充電ケーブルが繋がった保管袋のシールド性能は７００ＭＨｚ〜５ＧＨｚで−６５ｄＢ超を確保できた。保管袋に装着できる携帯端末は２００×１００×１０ｍｍである。制御回路は８０％で充電を停止し、２４時間毎に自動的に充電を繰り返す設定を行った。不燃ＢＯＸとしてはアルミＢＯＸを使用し、緩衝材としては熱伝道性の高い、難燃性のシリコンスポンジを用いた。保管袋はポリエステル布に限らず、他の繊維材、網材、フォーム材でも良く、貫通コンデンサの素子構成、導電プレート、緩衝材、ならびに本特許を実現するための機能、構成、素材、ディメンジョンなどは本実施例に限定されず、発明の趣旨を逸脱しない範囲であれば種々の変形、応用が可能である。
【産業上の利用可能性】
【００１２】本発明の携帯端末保管袋構成はスマートホン、タブレットなど携帯端末の保管ＢＯＸに利用することが出来る。
【図面の簡単な説明】
【００１３】
【図１】貫通コンデンサを介して充電する充電保管構造の概念図
【図２】貫通コンデンサならびに保管袋の導電を介して充電する充電保管構造の概念図
【図３】貫通コンデンサ構造による構成概念図
【図４】貫通コンデンサならびに保管袋の導電による構成概念図
【図５】貫通コンデンサならびに保管袋の導電の共用構成概念図
【図６】不燃ＢＯＸの概念図
【図７】充電制御回路構成の概念図
【符号の説明】  １    保管袋
２    貫通コンデンサ
３    貫通コンデンサ
４    充電ケーブル
５    充電コネクタ
６    充電ケーブル
７    充電コネクタ
８    充電器
９    携帯端末
１０  保管袋導電
１１  導電プレート
１２  導電プレート
１３  金属ＢＯＸ
１４  熱伝導率の高い緩衝材
１５  充電電源
１６  充電処理回路
１７  電流値検出センサ
１８  制御回路
１９  接断回路
２０  接続コネクタ
【図１】
2020141392.tif 000003
【図２】
2020141392.tif 000004
【図３】
2020141392.tif 000005
【図４】
2020141392.tif 000006
【図５】
2020141392.tif 000007
【図６】
2020141392.tif 000008
【図７】
2020141392.tif 000009